(57)【要約】【課題】製造時に天板や外枠を傷つけたり変形させたりすることがなく、作業性やコスト面でも有利な天板構造を提供する。【解決手段】外枠４の上端側に、中板３の上面に当接する庇部９を突設する一方、外枠４における中板３との接合面で中板３より下方に形成される下溝１１に、中板３の下面に当接する支持部１５を上端に備えたつなぎ板１３を差し込み固定し、庇部９とつなぎ板１３の支持部１５とで中板３を挟持させた。【選択図】図２
2008002754.tif 000002
【特許請求の範囲】
【請求項１】
加熱調理器の器体の上部に設けられ、天板と、その天板の外周縁に接合される外枠とからなる天板構造であって、
前記外枠の上端側に、前記天板の上面に当接する庇部を突設する一方、前記外枠における前記天板との接合面で前記天板より下方位置に、前記天板の下面に当接する支持部を上端に備えた接合部材を差し込み固定して、前記庇部と接合部材の支持部とで前記天板を挟持させて前記天板と外枠とを接合することを特徴とする加熱調理器の天板構造。
【請求項２】
接合部材が、外枠の接合面に差し込み固定される水平部と、その水平部の先端から上向きに折曲形成される支持部とからなる断面Ｌ字状の板体である請求項１に記載の加熱調理器の天板構造。
【発明の詳細な説明】
【技術分野】
【０００１】
本発明は、ビルトインコンロやテーブルコンロ等の加熱調理器の上部に設けられる天板構造に関する。
【背景技術】
【０００２】
例えばビルトインコンロでは、コンロ部が設けられるガラス板と、グリル部の排気口が設けられるステンレス製の中板とからなる矩形の天板の外周縁に、アルミニウムを押し出し成形してなる外枠を接合して天板構造が形成される。天板と外枠との接合は、例えば特許文献１に示すように、天板の端縁を外枠の接合面に設けた溝に差し込み、外枠の所定箇所に設けたカシメ部を、カシメによって塑性変形させて天板に設けた貫通孔に嵌合させて行うものが知られている。
【０００３】
【特許文献１】特開２００６−３０４９号公報
【発明の開示】
【発明が解決しようとする課題】
【０００４】
このようにカシメ接合を行うと、カシメ工程の際に天板や外枠に傷や変形を生じさせるおそれがある上、カシメ接合によって作業性が低下したりコストがかさんだりする問題もあった。
【０００５】
そこで、本発明は、製造時に天板や外枠を傷つけたり変形させたりすることがなく、作業性やコスト面でも有利となる加熱調理器の天板構造を提供することを目的としたものである。
【課題を解決するための手段】
【０００６】
上記目的を達成するために、請求項１に記載の発明は、外枠の上端側に、天板の上面に当接する庇部を突設する一方、外枠における天板との接合面で天板より下方位置に、天板の下面に当接する支持部を上端に備えた接合部材を差し込み固定して、庇部と接合部材の支持部とで天板を挟持させて天板と外枠とを接合することを特徴とするものである。
請求項２に記載の発明は、請求項１の目的に加えて、天板の支持に好適な接合部材を提供するために、接合部材を、外枠の接合面に差し込み固定される水平部と、その水平部の先端から上向きに折曲形成される支持部とからなる断面Ｌ字状の板体としたものである。
【発明の効果】
【０００７】
請求項１に記載の発明によれば、カシメ工程が不要となるため、組み立て工程が簡略化して作業性の向上やコストの低減に繋がると共に、カシメによる傷や変形のおそれもなくなって品質の向上も期待できる。
請求項２に記載の発明によれば、請求項１の効果に加えて、組み付けやすく、天板の支持に好適な接合部材を得ることができる。
【発明を実施するための最良の形態】
【０００８】
以下、本発明の実施の形態を図面に基づいて説明する。
図１は、ビルトインコンロにおける天板構造の一例を示す説明図で、（Ａ）が平面、（Ｂ）が底面を夫々示す。天板構造１は、エンボス加工を施した矩形の上板２ａと下板２ｂ（共に図３に図示）とからなるトッププレート２と、そのトッププレート２の後方（図１の上側）に組み付けられる横長矩形でステンレス製の中板３と、組み付けられたトッププレート２及び中板３の外周縁に接合される外枠４とからなる。トッププレート２と中板３とで天板が形成される。
トッププレート２には、コンロ部を形成するための３つの透孔５，５・・が形成され、各透孔５の内周縁には、煮こぼれリング６が、トッププレート２の裏側に設けられる裏板７とでトッププレート２を挟持する格好で組み付けられている。また、中板３には、グリルの排気口を形成する横長矩形状の透孔８が穿設されている。
【０００９】
外枠４は、アルミニウム製の押し出し成形品で、図２に示すように、上方部には、トッププレート２及び中板３の周縁上面に当接する庇部９が突設され、その下方の天板との接合面には、トッププレート２の下板２ｂを差し込み可能な上溝１０と、後述するつなぎ板１３及び支え板１６を差し込み可能で且つ中板３より下方に位置する下溝１１とが全長に亘って互いに平行に周設されている。１２は、庇部９の根元部分で全長に亘って凹設された、コーキング材の充填用の凹溝である。
【００１０】
本発明の接合部材となるつなぎ板１３は、下溝１１に差し込まれる水平部１４と、水平部１４の先端から上方へ折曲される支持部１５とからなる断面Ｌ字状の板体で、下溝１１への差し込み状態で、支持部１５の上端が中板３の裏面に当接可能となっている。このつなぎ板１３は、中板３の後方側の長手辺に沿って三カ所設けられている。
一方、支え板１６は、下溝１１に差し込まれる板状体で、トッププレート２と中板３との境界部に二カ所、トッププレート２の前方側の長手辺に沿って二カ所夫々配設されている。但し、前方側の支え板１６は、図１（Ｂ）に示すように、トッププレート２のコーナー部から短手辺にかけて外枠４の下溝１１に差し込まれるように平面視でＬ字状となっている。
【００１１】
トッププレート２と中板３との境界部に配設される支え板１６は、中板３に対しては図３（Ａ）に示すように、支え板１６の上面に中板３の折り返し下端３ａを当接させることで下方から支持し、トッププレート２に対しては同図（Ｂ）に示すように、間にパッキン１７を介在させて下方から支持する。
そして、トッププレート２の前方側に配設される支え板１６は、同図（Ｃ）に示すように、上板２ａよりも前方側へやや長くして上溝１０へ差し込まれる下板２ｂを、パッキン１７を介して下方から支持するようになっている。図３において１８は、凹溝１２に充填されたコーキング材である。
【００１２】
以上の如く構成された天板構造１は、以下の手順で組み付けられる。まず外枠４に中板３とトッププレート２の上板２ａとを先に取り付け、外枠４の凹溝１２にコーキング材１８を塗布する。
次に、つなぎ板１３にコーキング材を塗布して外枠４の所定箇所で下溝１１に差し込み、図２のように庇部９との間で中板３を挟持させる。そして、トッププレート２の下板２ｂを取り付けて、支え板１６にコーキング材を塗布して各配設位置で下溝１１に差し込み、庇部９との間でトッププレート２及び中板３を挟持させる。最後に煮こぼれリング６と裏板７とをトッププレート２の透孔５に組み付けて、外枠４の下面全周にシールパッキン１９を貼り付ければ組立が完了する。後はコンロやグリルを内設した器体の上部に組み付ければよい。
【００１３】
このように、上記形態の天板構造１によれば、外枠４の上端側に、中板３の上面に当接する庇部９を突設する一方、外枠４における中板３との接合面で中板３より下方位置に、中板３の下面に当接する支持部１５を上端に備えたつなぎ板１３を差し込み固定して、庇部９とつなぎ板１３の支持部１５とで中板３を挟持させて中板３と外枠４とを接合することで、カシメを行うことなく中板３と外枠４との接合が可能となる。よって、組み立て工程が簡略化して作業性の向上やコストの低減に繋がると共に、カシメによる傷や変形のおそれもなくなって品質の向上も期待できる。
特に、断面Ｌ字状のつなぎ板１３の採用により、組み付けやすく、中板３の支持に好適な接合部材を得ることができる。
【００１４】
なお、上記形態では、接合部材となるつなぎ板を中板側にのみ設けているが、トッププレートの厚み等によっては支え板に代えてトッププレート側でもつなぎ板で下方から支持させるようにしても良い。よって、つなぎ板の支持部の垂直方向の長さは支持するトッププレートや中板の構造に合わせて適宜変更可能である。勿論支持部は板状に限らず、断続的に突設した棒状部等として部分的にトッププレート等に当接させてもよい。
また、接合部材自体の長さや数も適宜変更可能で、例えば上記形態ではより寸法を短くした多数のつなぎ板を天板周縁に所定間隔で配置したり、逆により寸法を長くしたつなぎ板を天板の各辺に夫々一つずつ配置したり等の設計変更は可能である。
さらに、外枠も、接合部材を差し込み固定する溝を全長に亘って設ける必要はなく、接合部材の差し込み位置にのみ部分的に溝や凹部を形成して差し支えない。
【００１５】
その他、トッププレートは、上記形態のような二枚重ねに限らず、印刷を施した一枚のガラス板であってもよいし、中板とトッププレートとが一体となった天板であってもよく、外枠との間で接合部材の採用が可能であれば、具体的な構成は上記形態に限定されない。勿論ビルトインコンロに限らず、テーブルコンロ等の他の加熱調理器ににも本願発明の天板構造は適用可能である。
【図面の簡単な説明】
【００１６】
【図１】天板構造の説明図で、（Ａ）が平面、（Ｂ）が底面を夫々示す。
【図２】つなぎ板による中板と外枠との接合構造を示す部分断面図である。
【図３】支え板による接合構造を示す部分断面図で、（Ａ）が中板と外枠との接合部分、（Ｂ）がトッププレートの短手辺と外枠との接合部分、（Ｃ）がトッププレートの前端と外枠との接合部分を夫々示す。
【符号の説明】
【００１７】
１・・天板構造、２・・トッププレート、２ａ・・上板、２ｂ・・下板、３・・中板、４・・外枠、９・・庇部、１０・・上溝、１１・・下溝、１２・・凹溝、１３・・つなぎ板、１４・・水平部、１５・・支持部、１６・・支え板、１８・・コーキング材。
【図１】
2008002754.tif 000003
【図２】
2008002754.tif 000004
【図３】
2008002754.tif 000005